(57)【特許請求の範囲】
【請求項１】
キッチンカウンタの取付孔に落とし込んで設置されるケーシング本体と、このケーシング本体上に載置されるトッププレートとを備えており、
前記ケーシング本体には、ケーシング本体の前面側の側面に開口が設けられており、
前記トッププレートには、トッププレートの下面からケーシング本体の内部を通って下方に伸びる部材と、この下方に伸びる部材の先端から外向きに伸びるフランジが設けられており、
前記ケーシング本体に設けた前記開口に、前記トッププレートに設けた前記外向きに伸びるフランジを遊挿可能としたことを特徴とする加熱調理器。
【請求項２】
前記トッププレートの前側に、トッププレートの下面から下方に伸びる部材と、外向きに伸びるフランジが設けられており、
前記トッププレートの後側は、固定具によって、前記ケーシング本体に固定可能とされていることを特徴とする請求項１の加熱調理器。
【請求項３】
請求項１又は２に記載の加熱調理器において、さらに、
前記トッププレートより下方に設けられた温度検知手段と、この温度検知手段を上方に付勢する付勢部材とを備え、
前記付勢部材の付勢力を前記トッププレートの荷重より小さくしたことを特徴とする加熱調理器。
【発明の詳細な説明】
【０００１】
【発明の属する技術分野】
本発明は、加熱調理器に関する。特に、キッチンカウンタの取付孔に落とし込んで設置されるケーシング本体と、このケーシング本体上に載置されるトッププレートを有する加熱調理器において、このトッププレートがケーシング本体から大きく浮き上がるのを防止する技術に関する。
【０００２】
【従来の技術】
上記形式のトッププレートを備えた加熱調理器の場合、そのトッププレートの前面側（作業者に対面する側）がケーシング本体に対して浮き上がることが規制されていないと、好奇心にかられた人がトッププレートを持ち上げたり、あるいは、鍋から煮こぼれた煮汁によって鍋とトッププレートが固着され、作業者が鍋を持ち上げるときにトッププレートまで持ち上がったりすることが有り得る。トッププレートの前面が大きく持ち上げられると、ケーシング内部に収容されている加熱機構が露出されるため、トッププレートが持ち上げられることは好ましくない。
そこで、従来から、トッププレートの前面側をケーシングに固定して浮き上がりを防止することが行なわれている。トッププレートの前面側は意匠上重要な部分であり、通常は浮きあがり防止構造を視覚できないように設けている。
【０００３】
トッププレートの前面側をケーシング本体に固定する従来構造の一例を図５を用いて説明する。図５は、従来の加熱調理器の前面上部の概略断面図である。
図５に示すように、加熱調理器１２０はキッチンカウンタ１９０の取付孔１９０ａに落とし込んで設置されるケーシング本体１６６と、このケーシング本体１６６上に載置されたトッププレート１３０を備えている。ケーシング本体１６６からトッププレート１３０の前面側が浮き上がるのを防止するために、ケーシング本体１６６に板バネ１０４がネジ１０２で止められている。この板バネ１０４にトッププレート１３０に設けた引掛け部１０６を引っ掛けることでトッププレート１３０の前面側がケーシング本体１６６から浮かび上がらないようにしている。このトッププレート１３０をケーシング本体１６６から取り外す場合には、トッププレート１３０を板バネ１０４の弾性力に抗して持ち上げる。すると、板バネ１０４が変形してトッププレート１３０の引掛け部１０６から板バネ１０４が外れるようになっている。
【０００４】
また、他の一例を図６を用いて説明する。この構造では、キッチンカウンタ２９０の取付孔２９０ａに落とし込んで設置したケーシング本体２０６と、ケーシング本体２０６上に載置されたトッププレート２３０をネジ２１６で固定する。即ち、トッププレート２３０の下面に固定板２１４を溶接部２１２で溶接し、この固定板２１４とケーシング本体２０６をネジ２１６で止めることによってトッププレート２３０の前面をケーシング本体２０６に固定している。トッププレート２３０をケーシング本体２０６から取り外す場合は、キッチンカウンタ２９０の下方の奥まった位置にあるネジ２１６を取り外す。
【０００５】
【発明が解決しようとする課題】
図５に示す従来の加熱調理器１２０によれば、板バネ１０４とこの板バネ１０４を固定するネジ１０２が必要となる。また、図６に示す従来の加熱調理器２２０によれば、トッププレート２３０に取り付ける固定板２１４と、この固定板２１４とケーシング本体２０６に取り付けるネジ２１６が必要となる。従って部品点数が増加してしまうという問題があった。
また、図６に示す従来の加熱調理器では、トッププレート２３０の脱着作業時に、キッチンカウンタ２９０の下方の奥まった位置にあるネジ２１６を取り外したりねじ込んだりする必要がある。ネジ２１６を取り外したりねじ込んだりする作業自体に手間がかかる上に、キッチンカウンタ２９０の下方の奥まった位置にネジ２１６が取り付けられているため、その作業が大変にやりにくいという問題があった。
【０００６】
本発明は、部品点数を削減し、トッププレートの取り外しを簡単にしながら、トッププレートの前面が大きく持ち上げられるのを防止する構造を実現することを目的とする。
【０００７】
【課題を解決するための手段および作用と効果】
本発明に係る加熱調理器は、キッチンカウンタの取付孔に落とし込んで設置されるケーシング本体と、このケーシング本体上に載置されるトッププレートとを備えている。ここで、ケーシング本体には、この前面側の側面に開口を設け、トッププレートには、この下面からケーシング本体の内部を通って下方に伸びる部材と、この下方に伸びる部材の先端から外向きに伸びるフランジを設けている。そして、ケーシング本体に設けた開口に、トッププレートに設けた外向きに伸びるフランジを遊挿可能としたことを特徴とする。
ここで、「遊挿」とは、トッププレートに設けた外向きフランジが、ケーシング本体に設けた開口に空間的に余裕のある状態で挿入されていることをいう。
本発明の構成によれば、ケーシング本体の開口にトッププレートの外向きフランジを遊挿させた状態では、ケーシング本体に対しトッププレートが抜け止めされるため、トッププレートの前面が大きく持ち上げられることを防止することができる。
また、本発明の構成によれば、トッププレート前面が大きく持ち上げられることを防止するためには、ケーシング本体の開口にトッププレートの外向きフランジを遊挿させればよいため、板バネや固定板やこれらを取り付けるネジ等の部品が不要となる。従って、部品点数を削減することができる。また、本発明の構成によれば、トッププレートを取り外すには、ケーシング本体の開口に遊挿されたトッププレートの外向きフランジを抜くだけでよいため、取り外しにくい位置にあるネジを外す等の手間が不要となる。従って、トッププレートを簡単に取り外すことができる。
【０００８】
上記の加熱調理器の場合、トッププレートの前側に、トッププレートの下面から下方に伸びる部材と、外向きに伸びるフランジが設けられていることが好ましい。一方、トッププレートの後側は、固定具によって、ケーシング本体に固定可能とされていることが好ましい。ここで、「固定具」とは、例えばネジをいう。
上記の構成によれば、トッププレートの前側では、外向きに伸びるフランジがケーシング本体に設けた開口に遊挿可能となっているため、トッププレートの取外しが簡単となる一方、トッププレートの後側では、固定具によってケーシング本体に固定可能とされているため、ケーシング本体に対するトッププレートの固定位置を決定することができる。
また上記の加熱調理器の場合、トッププレートより下方に設けられた温度検知手段と、この温度検知手段を上方に付勢する付勢部材とを備えており、この付勢部材の付勢力をトッププレートの荷重より小さくすることが好ましい。ここで、「付勢部材」とは、バネ、クッション材等をいう。
本発明の構成によれば、付勢部材の付勢力をトッププレートの荷重より小さくしているため、トッププレートを載置するとこのトッププレートより下方に設けられた温度検知手段も付勢部材の付勢力に抗して下がる。よって、トッププレートが固定された状態になる。このため、トッププレートの上に鍋を載置する際に、トッププレートの外向きフランジがケーシング本体の開口に空間的に余裕のある状態で挿入されていても、トッププレートがさらに落ち込んでがたつきが生じることがない。また、トッププレートから鍋等を取り除く際にも、トッププレートの外向きフランジがケーシング本体の開口に空間的に余裕のある状態で挿入されていても、トッププレートが浮き上がってがたつきが生じることがない。従って、部品点数を増加させることなく、トッププレートをより効果的に固定することができる。
【０００９】
【発明の実施の形態】
本発明の実施の形態の主要な特徴を記載する。
（形態１）  請求項１に記載の加熱調理器において、前記ケーシング本体の前面側の側面に設けられた前記開口は、前記ケーシング本体の内部を冷却した空気を排出する排気口を利用していることを特徴とする。この構成によれば、排気口を利用することで、外向きフランジを遊挿する開口を別個設ける必要がない。
【００１０】
【実施例】
本発明の実施例に係る加熱調理器の構成を図１を用いて説明する。図１は、本発明の実施例に係る加熱調理器の概略縦断面図である。
図１に示す加熱調理器２０は、キッチンカウンタ９０に設けられた取付孔９０ａに落とし込まれて設置されるケーシング本体６６を備えている。
ケーシング本体６６の前面側の側面（図１においては左側）には、熱量の設定操作等を行う操作部８１が設けられている。この操作部８１の下方（ないし裏面）には冷却後の空気をケーシング本体６６の外部へ排出させる排気口８５が設けられている。
ケーシング本体６６の上方には、耐熱性セラミックを含むトッププレート３０が載置されている。このトッププレート３０の後方（図１においては右側）には吸気口４２が設けられている。この吸気口４２のスリットを利用することでネジ３５によってトッププレート３０の後ろ側がケーシング本体６６にネジ止めされて固定されている。このネジ３５は吸気口４２のスリットを利用しているので、目立たない位置で止められている。
ケーシング本体６６の内部には、誘導加熱コイル２６、この誘導加熱コイル２６等を制御する多くの電子部品を備えた制御基板７４、この制御基板７４に発生した熱を放熱させる放熱フィン３２、誘導加熱コイル２６および制御基板７４等に冷却風を送る冷却ファン３４、この冷却ファン３４を駆動するファンモータ３４ａ、冷却ダクト４０等が備えられている。この冷却ダクト４０は、一端が制御基板７４側に位置し、中間に冷却ファン３４が位置し、他端が吸気口４２と連通している。
ケーシング本体６６の下方には、ロースタ７０が備えられている。このロースタ７０の内部には、加熱ヒータ７８が備えられている。
【００１１】
本発明の実施例に係る加熱調理器２０の動作を図１を用いて説明する。図１に示す操作部８１を操作すると、誘導加熱コイル２６が作動する。この誘導加熱コイル２６が作動すると、ファンモータ３４ａが通電する。このファンモータ３４ａが通電すると、冷却ファン３４が回転する。この冷却ファン３４が回転すると、ケーシング本体６６の外部の空気が吸気口４２から吸入される。この吸入された空気は、冷却ダクト４０を通じて冷却ファン３４の上流側から吸気される。この吸気された空気は、冷却ファン３４の下流側へ吹き出される。この冷却ファン３４の下流側へ吹き出された空気によって、制御基板７４、誘導加熱コイル２６およびロースタ７０からの輻射熱等が冷却される。冷却後の空気は、操作パネル８１の裏面に設けられた排気口８５からケーシング本体６６の外部に排出される。
【００１２】
次に、本発明の実施例に係る加熱調理器の前面上方付近の構成を図２〜４を用いて説明する。図２は本発明の実施例に係る加熱調理器の前面上方付近の概略縦断面図である。図３は図２の拡大図である。図４は本発明の実施例に係る加熱調理器の前面上方付近の概略斜視図である。
図２には、キッチンカウンタ９０と、このキッチンカウンタ９０の取付孔９０ａに落とし込まれたケーシング本体６６と、このケーシング本体６６に載置されたトッププレート３０と、キッチンカウンタ９０の周縁９０ｂとケーシング本体６６のフランジ６６ａとトッププレート３０の外縁３１ｃとを液密に接触させるパッキン９８と、トッププレート３０より下方にあってトッププレート３０の温度を検知する温度検知手段（例えば、サーミスタ等）９２、この温度検知手段９２より下方にあって温度検知手段９２を上方に付勢する付勢部材（例えば、バネ、クッション材等）９４等が示されている。
【００１３】
図２に示すキッチンカウンタ９０は、ケーシング本体６６を落とし込んで設置する取付孔９０ａ、この取付孔９０ａを形成する周縁９０ｂ等から構成されている。ケーシング本体６６は、フランジ６６ａ、前面側の側面上半部６６ｂ、グリルケース６６ｄ等から構成されている。側面上半部６６ｂには、開口６６ｃが設けられている。トッププレート３０は、支持板３１、シリコンゴム３２、ガラス板３３等から構成されている。ここで、トッププレート３０の支持板３１の外縁３１ｃには、湾状の内向きフランジが形成されている。これに対し、トッププレート３０の支持板３１の内側には、トッププレート３０の下面からケーシング本体６６の内部を通って下方に伸びる板部材３１ｂが設けられている（図４参照）。この板部材３１ｂの先端に外向きフランジ３１ａが設けられている。この外向きフランジ３１ａは、斜め下方に向かって伸びている。
【００１４】
図２に示すパッキン９８は、断面が略コの字状に形成された耐熱性の弾性樹脂材によって構成されている。この１つのパッキン９８によって、キッチンカウンタ９０の周縁９０ｂとトッププレート３０の外縁３１ｃ、および、キッチンカウンタ９０の周縁９０ｂとケーシング本体６６のフランジ６６ａが液密に接触し、煮こぼれ等による液体がケーシング本体６６の内部に入ることを防止している。具体的には、パッキン９８の底面９８ｃは、キッチンカウンタ９０の取付孔９０ａを形成する周縁９０ｂと液密に接触している。パッキン９８の略コの字状の窪み側（内側）９８ａには、ケーシング本体６６のフランジ６６ａが嵌め込まれて液密に接触している。また、パッキン９８の略コの字状の窪みの逆側（外側）９８ｂは湾状に形成されており、支持板３１の外縁３１ｃを形成する湾状の内向きフランジと液密に接触している。
【００１５】
図２に示すように、ケーシング本体６６の開口６６ｃにトッププレート３０の外向きフランジ３１ａを遊挿している。即ち、トッププレート３０の外向きフランジ３１ａが、ケーシング本体６６の開口６６ｃに空間的に余裕のある状態で挿入されている。より具体的には、拡大図である図３に示すように、ケーシング本体６６の前面側の側面上半部６６ｂの開口６６ｃを形成する上縁部６６ｅとトッププレート３０の外向きフランジ３１ａの間に間隔Ｌが設けられている。また、ケーシング本体６６の前面側の側面上半部６６ｂの開口６６ｃを形成する下縁部６６ｆとトッププレート３０の外向きフランジ３１ａの間に間隔Ｍが設けられている。
【００１６】
間隔Ｌを設けないと、矢印Ｂに示す向きでトッププレート３０を外そうとする場合に、パッキン９８と支持板３１の外縁３１ｃが接触することで奏する位置決め作用によって、トッププレート３０を外すことができない。これに対し、本実施例のように間隔Ｌを設けると、図２の矢印Ｂに示す向きにトッププレート３０を容易に取り外すことができる。
また、間隔Ｍを設けないと、外向きフランジ３１ａが開口６６ｃの下縁部６６ｆに接触することになる。外向きフランジ３１ａが下縁部６６に接触すると、トッププレート３０とこのトッププレート３０に載置された鍋の荷重が外向きフランジ３１ａにかかってしまう。外向きフランジ３１ａにトッププレート３０と鍋の荷重がかかると、外向きフランジ３１ａを破損させてしまう。この結果、外向きフランジ３１ａによってケーシング本体６６にトッププレート３０を固定できなくなる。これに対し、本実施例のように間隔Ｍを設けると、外向きフランジ３１ａの破損を防ぐことができる。
【００１７】
また、図４に示すように、トッププレート３０の外向きフランジ３１ａを遊挿している開口６６ｃは、ケーシング本体６６の内部の制御基板等を冷却した空気を排出するための排気口６５を利用している。この排気口６５は図４に示すように複数設けられている。よって、外向きフランジ３１を遊挿してトッププレート３０とケーシング本体６６を固定するための開口６６ｃを別個設ける必要がない。
【００１８】
トッププレート３０を取り付けるときは、まず、図２の矢印Ａに示すように、トッププレート３０の外向きフランジ３１ａをケーシング本体６６の開口６６ｃに挿入する。その後、図１に示すように、トッププレート３０の後方をケーシング本体６６にネジ３５で止めることで、トッププレート３０を固定することができる。これに対し、トッププレート３０を取り外すときは、トッププレート３０の後方でケーシング本体６６と止められたネジ３５を取り外す。その後、図２の矢印Ｂに示す向きにトッププレート３０の外向きフランジ３１ａをケーシング本体６６の開口６６ｃから抜くことで、トッププレート３０を取り外すことができる。
【００１９】
本実施例に係る加熱調理器２０によれば、トッププレート３０の前面が大きくもちあげられるのを防止するには、ケーシング本体６６の開口６６ｃにトッププレート３０を構成する支持板３１の外向きフランジ３１ａを遊挿させればよいため、板バネ、固定板およびこれらを取り付けるネジ等の部品が不要となる。従って、部品点数を削減することができる。また、トッププレート３０を取り外すには、ケーシング本体６６の開口６６ｃに遊挿されたトッププレート３０を構成する支持板３１の外向きフランジ３１ａを抜くだけでよいため、取り外しにくい位置にあるネジを外す等の手間が不要となる。従って、トッププレート３０を簡単に取り外すことができる。
【００２０】
図２に示すように、トッププレート３０の外向きフランジ３１ａが、ケーシング本体６６の開口６６ｃに遊挿、即ち、空間的に余裕のある状態で挿入されていると、トッププレート３０を簡単に取り外すことができる。しかしながら、付勢部材９４の付勢力がトッププレート３０の荷重より大きく、かつ、付勢部材９４の付勢力がトッププレート３０と鍋等の合計の荷重より小さい場合には、トッププレート３０にがたつきが生じる。
即ち、トッププレート３０に鍋を載置する際、トッププレート３０の外向きフランジ３１ａがケーシング本体６６の開口６６ｃに空間的に余裕のある状態で挿入されているので、トッププレート３０が落ち込んでがたつきが生じる。また、トッププレート３０の上から鍋を取り除く際にも、外向きフランジ３１ａが開口６６ｃに空間的に余裕のある状態で挿入されているので、トッププレート３０が浮き上がってがたつきが生じる。
【００２１】
本実施例の構成によれば、付勢部材９４の付勢力をトッププレート３０の荷重より小さくしているため、トッププレート３０を載置するとこのトッププレート３０より下方に設けられた温度検知手段９２も付勢部材９４の付勢力に抗して下がる。よって、トッププレート３０が固定された状態になる。このため、トッププレート３０の上に鍋を載置する際に、外向きフランジ３１ａが開口６６ｃに空間的に余裕のある状態で挿入されていても、トッププレート３０がさらに落ち込んでがたつきが生じることがない。また、トッププレート３０から鍋等を取り除く際にも、外向きフランジ３１ａが開口６６ｃに空間的に余裕のある状態で挿入されていても、トッププレート３０が浮き上がってがたつきが生じることがない。従って、部品点数を増加させることなく、トッププレート３０をより効果的に固定することができる。
【００２２】
以上、本発明の実施例に係る加熱調理器について説明したが、本発明は上記の実施例になんら限定されるものではなく、本発明は当業者の知識に基づいて種々の変更、改良を施した形態で実施することができる。
例えば、本実施例では、図２に示すように、キッチンカウンタ９０とケーシング本体６６の前面側の側面上半部６６ｂの間に隙間が設けられているが、このような隙間を設けず、キッチンカウンタ９０とケーシング本体６６が接触する程に近接していても、トッププレート３０の下面から下方に伸びる板部材３１ｂは、ケーシング本体６６の内部を通っているため、本発明の適用にあたり問題はない。
また、本実施例では、図２に示すように、トッププレート３０の外向きフランジ３１ａは、キッチンカウンタ９０の側方に位置しているが、この外向きフランジ３１ａは、キッチンカウンタ９０より下方に位置するようにしてもよい。
また、本実施例では、図４に示すように、板部材３１ｂとこの先端に設けられた外向きフランジ３１ａは、トッププレート３０の左右両側にそれぞれ２つ設けられているが、１つであってもよいし、２つ以上設けてもよい。
【図面の簡単な説明】
【図１】  本発明の実施例に係る加熱調理器の概略縦断面図。
【図２】  本発明の実施例に係る加熱調理器の要部の概略縦断面図。
【図３】  図２の開口付近の拡大図。
【図４】  本発明の実施例に係る加熱調理器の要部の概略斜視図。
【図５】  従来の加熱調理器の要部の概略縦断面図（１）。
【図６】  従来の加熱調理器の要部の概略縦断面図（２）。
【符号の説明】
加熱調理器：２０
トッププレート：３０
トッププレートの外向きフランジ：３１ａ
ケーシング本体：６６
ケーシング本体のフランジ６６ａ
開口：６６ｃ
キッチンカウンタ：９０
温度検知手段：９２
付勢部材：９４
パッキン：９８
【図１】
0003647725.tif 000002
【図２】
0003647725.tif 000003
【図３】
0003647725.tif 000004
【図４】
0003647725.tif 000005
【図５】
0003647725.tif 000006
【図６】
0003647725.tif 000007